(57)【特許請求の範囲】
【請求項１】
走行装置（８ａ）を有する走行車体（８）上に、穀粒を一時貯溜するグレンタンク（１）と、該グレンタンク（１）にて一時貯溜していた穀粒を排出する揚穀筒（１２）と穀粒搬出オーガ（１４）とを設けたコンバインの伸縮式オーガ装置であって、該穀粒搬出オーガ（１４）は固定搬送筒（１５）と該固定搬送筒（１５）に嵌合して、長手方向に移動伸縮する移動搬送筒（２）とから構成し、該移動搬送筒（２）の上面部には内部を点検する点検窓（３０）を複数個設け、該点検窓（３０）はスライドプレート（３１）をスライドさせることで開閉する構成とし、さらに、前記穀粒排出オーガ（１４）に作業灯（３８）を設置するにあたり、穀粒排出オーガ（１４）の上面にプレート（３９）を設け、作業灯（３８）を支持するプレート（４１）の回動支点（４０）を前記穀粒排出オーガ（１４）の上面のプレート（３９）に設け、作業灯（３８）は回動支点（４０）を軸芯として穀粒排出オーガ（１４）の左右方向へ回動可能に構成したことを特徴とするコンバインの伸縮式オ−ガ装置。
【発明の詳細な説明】
【０００１】
【発明の属する技術分野】
本発明は、コンバインの伸縮式オ−ガ装置に関するもので、農業機械の技術分野に属する。
【０００２】
【従来の技術】
従来からコンバインは、刈取穀稈を脱穀する脱穀装置と、脱穀後の穀粒を収納貯溜するためのグレンタンクとを併設して刈取脱穀作業を連続的に行うことができる構成としている。そして、グレンタンクは、作業の進行にともなって順次貯溜される穀粒が満杯に達すると、内装している排出螺旋から、揚穀装置、排出オ−ガを利用して、貯溜穀粒を待機中のトラックのタンクに搬出する構成としている。
【０００３】
そして、前記排出オ−ガは、基部側の固定搬送筒に、穀粒排出口を有する先端側の移動搬送筒を摺動自由に挿入嵌合して設け、搬送端部の穀粒排出口を遠近方向に伸縮移動できる構成であった。
【０００４】
【発明が解決しようとする課題】
この種の伸縮オ−ガは、搬送端部の穀粒排出口をトラックのタンクに合わせて搬出場所を決めて作業を行なうが、一箇所に集中的に搬出して盛り上げないでできる限り全体に満遍に供給するために、伸縮を繰り返して穀粒排出口の位置を移動しながら穀粒の搬出作業を続ける。このような排出作業を実行するうちに、特に、湿った穀粒を搬送していると内部で詰まったりすることがある。また、夜間での作業を容易なものとする。
【０００５】
【課題を解決するための手段】
本発明は、上述した課題を解決するために、次の如き技術手段を講ずるものである。すなわち、走行装置８ａを有する走行車体８上に、穀粒を一時貯溜するグレンタンク１と、該グレンタンク１にて一時貯溜していた穀粒を排出する揚穀筒１２と穀粒搬出オーガ１４とを設けたコンバインの伸縮式オーガ装置であって、該穀粒搬出オーガ１４は固定搬送筒１５と該固定搬送筒１５に嵌合して、長手方向に移動伸縮する移動搬送筒２とから構成し、該移動搬送筒２の上面部には内部を点検する点検窓３０を複数個設け、該点検窓３０はスライドプレート３１をスライドさせることで開閉する構成とし、さらに、前記穀粒排出オーガ１４に作業灯３８を設置するにあたり、穀粒排出オーガ１４の上面にプレート３９を設け、作業灯３８を支持するプレート４１の回動支点４０を前記穀粒排出オーガ１４の上面のプレート３９に設け、作業灯３８は回動支点４０を軸芯として穀粒排出オーガ１４の左右方向へ回動可能に構成したことを特徴とするコンバインの伸縮式オ−ガ装置とした。
【０００６】
【発明の実施の形態】
まず、その構成について述べる。
コンバインのグレンタンク１は、具体的には図示していないが、従来から公知のように、脱穀装置の側部に併設して走行車体８上に搭載し、その脱穀装置から一番揚穀装置を介して搬送されてきた脱穀・選別後の穀粒を貯溜できる構成としている。そして、排出螺旋９は、図１に示すように、グレンタンク１の底部に軸装して設け、始端側を機外の伝動軸１０にクラッチ装置１１を介して連結し、終端側を揚穀筒１２の下部まで延長して、内装している揚穀螺旋１３の下端部に接続して構成している。
【０００７】
そして、穀粒搬出オ−ガ１４は、前記揚穀筒１２の上部に上下方向へ回動自由に接続する固定搬送筒１５と、これに接続する移動搬送筒２とから構成しているが、以下、その構成を具体的に説明する。
まず、固定搬送筒１５は、図１に示すように、基部を前記揚穀筒１２の上部に連結し、先端部を外方に延長して設け、その筒内には、始端部を前記揚穀螺旋１３に接続した搬送螺旋１６を内装して、揚穀筒１２から受け継いだ穀粒を搬送する構成としている。
【０００８】
そして、移動搬送筒２は、図１に示すように、先端部に穀粒排出口１７を開口して設け、基部側を、前記固定搬送筒１５の先端側から挿入嵌合して摺動自由に連結している。
つぎに、伸縮螺旋３は、図１に示すように、移動搬送筒２内において、先端部を穀粒排出口１７の上方位置に軸受して後部を固定搬送筒１５側に延長して前記搬送螺旋１６の軸内に摺動自由に挿入した伝動軸４を軸架して設け、この伝動軸４に多数の螺旋単体３ａ……を摺動自由に嵌合して相互の間隔を調節できるように構成している。
【０００９】
そして、螺旋単体３ａは、図２に示すように、前記伝動軸４に摺動自由に嵌合する軸受ボス５の外周に、略半円筒に形成した取付け部材１８によって螺旋部６を取り付けて構成している。そして、軸受ボス５は、図２に示すように、従来型より短く形成し、Ａ（本案の軸受ボス５の寸法）＜Ｂ（従来型の軸受ボスの寸法）の関係にある構成としている。したがって、螺旋単体３ａは、図４に示すように螺旋部６を隣接の螺旋部６’に最も接近したとき（図４の左部分参照）、隣接の軸受ボス５’との間に間隔ができて接触しない短い長さに形成されている。そして、前記軸受ボス５は、その端部にスペ−サ用の突起７を設けて隣接の軸受ボス５’との間隔を保持する構成としている。６ａは螺旋係止体であって、隣接の螺旋部６’を係止して離脱を防止する（螺旋単体３ａが最大に離れても螺旋部６同志は繋がっている。）構成としている。
【００１０】
このように構成された螺旋単体３ａは、角軸にした前記伝動軸４に対して、回転方向へは規制され、軸方向には摺動自由の状態にして嵌合され、複数によって一連の伸縮螺旋３を構成している。
つぎに、伸縮駆動装置１９は、図１に示すように、揚穀筒１２の上部位置に装備した伸縮制御モ−タ２０に減速装置を介して螺旋軸２１の基端部を連結して強制駆動する構成としている。そして、移動装置２２は、上記螺旋軸２１の螺旋溝に係合している伝動ピンを介して、強制的に軸方向に移動するように設け、前記移動搬送筒２の基部側に一体的に連結して構成している。なお、伸縮駆動装置１９は、図２に示すように、縮小側と伸長側とにそれぞれリミットセンサＳ1、Ｓ2を設けて前記移動装置２２が達すると伸縮制御モ−タ２０を自動停止する構成としている。
【００１１】
なお、伸縮制御モ−タ２０は、具体的に図示はしていないが、操縦席の操作パネル上に設けたスイッチ（伸縮スイッチ）のＯＮ操作に基づいて、正転又は逆転方向に駆動されて螺旋軸２１を回転駆動する構成とし、螺旋軸２１が正転すれば、係合している移動装置２２を介して移動搬送筒２を伸長し、逆転すれば、縮小方向に強制的に移動する構成としている。
【００１２】
このようにして、移動搬送筒２は、固定搬送筒１５に嵌合した状態で筒に沿って伸び縮みして、先端部の穀粒排出口１７の位置を、基部の揚穀筒１２に対して、遠ざけたり、近ずけたり調節して穀粒の落下位置を選択できる構成としている。
なお、図１において、２３は昇降油圧シリンダ、２４は旋回モ−タ、２５は駆動ギヤ、２６は旋回ギヤを示す。
【００１３】
そして、支持ロ−ラ２７は、図１に示すように、移動搬送筒２の基部位置の上下に軸架して設け、固定搬送筒１５の周面を転動しながら支持する構成にしているが、具体的構成は、図５に示すように、両側に鍔２８、２８’を設けて固定搬送筒１５側のガイド２９に係合する構成にしている。これによって、移動搬送筒２は、従来の鼓型のロ−ラに比べて、伸縮作動時に先端側の首振り現象が著しく減少することになった。
【００１４】
つぎにその作用について説明する。
まず、エンジンを始動して機体の回転各部を駆動しながら走行車体８を前進させると、圃場の穀稈は、車台２前方の刈取装置によって刈り取られ、搬送されて脱穀装置に供給される。そして、穀稈は、脱穀処理作用を受けた後、選別されて精選された穀粒が一番揚穀装置により揚穀され、グレンタンク１に順次供給されて貯溜される。
【００１５】
このようにして、コンバインの刈取・脱穀作業が進むと、グレンタンク１は、脱穀作業に伴って処理された穀粒が貯溜されて一定量に達し、タンク内部に装備されている満杯センサの検出によって警報が発せられ、穀粒の搬出作業に移る。
まず、オペレ−タ−は、走行車体８を畦際まで移動して農道に待機しているトラックに近ずけて、穀粒搬出オ−ガ１４の昇降旋回レバーを操作して昇降油圧シリンダ２３と旋回モ−タ２４とを使い分けながら目的の搬出位置まで移動し、その先端の穀粒排出口１７をトラックのタンクの上方に臨ませ、穀粒排出作業の準備をする。
【００１６】
そのとき、伸縮駆動装置１９は、操縦席からの伸縮スイッチの操作により伸縮制御モ−タ２０を駆動して螺旋軸２１を正転させながら、螺合している移動装置２２を強制的に前方（先端側）に移動する。すると、移動装置２２は、一体的に連結している移動搬送筒２を固定搬送筒１５に対して前方に伸長させながら、先端部分の穀粒排出口１７をトラックのタンクの上方位置に合わせることになる。このとき、伸縮制御モ−タ２０は、移動装置２２が伸長側の限界位置に達してリミットスイッチＳ2を押圧すると自動停止する。
【００１７】
このようにして、穀粒搬出オ−ガ１４は、穀粒排出口１７の位置決めを完了した後、排出クラッチレバ−を入りに操作すると、グレンタンク１の底部にある排出螺旋９から揚穀筒１２内の揚穀螺旋１３、固定搬送筒１５内の搬送螺旋１６、更に、伝動軸４を介して移動搬送筒２内の伸縮螺旋３が伝動されて回転を開始する。
【００１８】
すると、グレンタンク１内の穀粒は、揚穀筒１２から固定搬送筒１５に送られ、更に、移動搬送筒２に受け継がれて穀粒排出口１７から機外に放出され、トラックのタンクに順次搬出される。
このような排出作業を行なっている際に、湿った穀粒を搬送していると、穀粒排出オーガ１４内で詰まることがある。特に、移動搬送筒２内の螺旋は多数の螺旋単体３ａが移動伸縮する構成であるので、穀粒の搬送において抵抗となりやすくなっている。
【００１９】
そこで、図６と図７に示すように、移動搬送筒２に点検窓３０を複数個設ける構成とする。本実施例では、移動搬送筒２の上面部に二カ所設けるようにする。開閉の方法は、スライドプレート３１を爪部３２の下方にスライドさせて開閉するように構成する。これにより、容易に移動搬送筒２内の点検整備を実行することが可能となる。
【００２０】
次に、図８〜図１１について説明する。
固定搬送筒１５を上手側の揚穀筒１２に固定するにあたり、図９に示すようなアーム３３にて取付け固定するように構成する。該アーム３３は移動搬送筒２を有しない従来からある穀粒排出オーガを支持するアーム３３と共用するようにする。このようなアーム３３と共用すると、図８のごとく移動搬送筒２の伸縮量が取付け部分のみ短くなってしまうが、大型のコンバインにおいては、元々固定搬送筒１５自体の長さが長いので、さほど問題とはならない。しかしながら、小型のコンバインにおいては、固定搬送筒１５自体の長さが短いので、図１０に示すようなアーム３３ａを用いて、フランジ部３４に固定するようにする方がよい。
【００２１】
次に、図１２と図１３について説明する。
前述の構成では、移動搬送筒２は伸縮制御モ−タ２０によって電気的に伸縮する構成としていた。しかしながら、廉価的に移動搬送筒２を構成する場合には不利となる。そこで、移動搬送筒２を手動にて移動伸縮するように構成する。即ち、移動搬送筒２に取っ手３５を設け、該取っ手３５にて伸縮移動させるようにする。取っ手３５の位置は、移動搬送筒２のどこでもよいが、コンバインの操作部近傍に位置する付近がよい。また、小型のコンバインにおいては、移動搬送筒２の穀粒搬送方向下手側端部や穀粒排出口１７近傍でもよい。特に、直接袋詰めを行なうときに都合がよい。
【００２２】
また、図１３に示すように、移動搬送筒２を移動伸縮させた状態のままでは、穀粒排出時の振動で移動搬送筒２が動いてしまう。特に、コンバインが傾斜地に停車しているときにおいては、傾斜している方へ動いてしまうという不具合が生じる。そこで、固定搬送筒１５側に複数の凹部３６（移動搬送筒２の移動ストロークの範囲）を設け、また、移動搬送筒２にはピン３７を前記凹部３６へ向かって差し込むように構成する。もちろん、移動させるときは前記ピン３７を抜いておいて、移動伸縮後に移動搬送筒２側から凹部３６へ差し込むようにする。これにより、移動搬送筒２を固定することが可能となる。
【００２３】
次に、図１４について説明する。
図１４は、穀粒排出オーガ１４を穀粒排出口１７側から穀粒搬送方向の上手側に向かって見た図である。穀粒排出オーガ１４に作業灯３８を設置するにあたり、従来は固定式で動かない構成であったが、本案では、穀粒排出オーガ１４の左右方向へ任意に回動可能に構成する。即ち、穀粒排出オーガ１４の上面にプレート３９を設け、該プレート３９にはプレート４１の回動支点４０を設け、該プレート４１の他端に作業灯３８を設けるようにする。従って、作業灯３８は回動支点４０を軸芯として左右方向へ回動するので、作業の状況に応じて照らす方向を選択できるようになり、特に、夜間での作業効率が向上する。
【００２４】
【発明の効果】
本発明は前述のごとく、穀粒搬出オーガ１４は固定搬送筒１５と該固定搬送筒１５に嵌合して、長手方向に移動伸縮する移動搬送筒２とから構成し、該移動搬送筒２には内部を点検する点検窓３０を複数個設ける構成としたので、容易に移動搬送筒２内の点検整備を実行することが可能となる。特に、点検窓３０はスライドプレート３１をスライドさせることで開閉する構成としているので、点検窓３０の開閉が容易となる。さらに、穀粒排出オーガ１４に作業灯３８を設置するにあたり、穀粒排出オーガ１４の上面にプレート３９を設け、作業灯３８を支持するプレート４１の回動支点４０を穀粒排出オーガ１４の上面のプレート３９に設け、作業灯３８は回動支点４０を軸芯として穀粒排出オーガ１４の左右方向へ回動可能に構成したので、作業の状況に応じて照らす方向を選択できるようになり、特に、夜間での作業効率が向上するようになる。
【図面の簡単な説明】
【図１】  右側面図
【図２】  正面図
【図３】  背面図
【図４】  右側面図
【図５】  断面図
【図６】  斜視図
【図７】  斜視図
【図８】  右側面図
【図９】  斜視図
【図１０】  斜視図
【図１１】  右側面図
【図１２】  右側面図
【図１３】  右側面図
【図１４】  正面図
【符号の説明】
１…グレンタンク、２…移動搬送筒、８…走行車体、８ａ…走行装置、１２…揚穀筒、１４…穀粒排出オーガ、１５…固定搬送筒、３０…点検窓、３１…スライドプレート、３８…作業灯、３９…穀粒排出オーガ上面のプレート、４０…回動支点、４１…作業灯を支持するプレート。
【図１】
0003846104.tif 000002
【図２】
0003846104.tif 000003
【図３】
0003846104.tif 000004
【図４】
0003846104.tif 000005
【図５】
0003846104.tif 000006
【図６】
0003846104.tif 000007
【図７】
0003846104.tif 000008
【図８】
0003846104.tif 000009
【図９】
0003846104.tif 000010
【図１０】
0003846104.tif 000011
【図１１】
0003846104.tif 000012
【図１２】
0003846104.tif 000013
【図１３】
0003846104.tif 000014
【図１４】
0003846104.tif 000015